(57)【要約】【課題】主に各種電子機器の操作に用いられるスイッチ装置及びこれを用いたリモコン送信機に関し、簡易な構成で誤操作がなく、確実な操作の可能なものを提供することを目的とする。【解決手段】操作体１１のベース部１１Ｃに、押釦５の下面端部が当接する複数のドーム状の突出部１１Ｄを設けることによって、押釦５の中央部ではなく端部を押圧操作した場合には、押釦５の下面端部が複数の突出部１１Ｄを不均等に押圧して、中央部を押圧操作した場合とは異なる、節度感が損なわれ、操作しづらい操作感触となるため、誤操作を防ぎ簡易な構成で、確実な操作の可能なスイッチ装置、及びこれを用いたリモコン送信機を得ることができる。【選択図】図１
2007103285.tif 000002
【特許請求の範囲】
【請求項１】
シート状のベース部上方に、操作部が薄肉のドーム部で連結された操作体と、この操作体の上下動に応じて電気的接離を行うスイッチ接点と、上記操作体の操作部上面に装着された押釦からなり、上記操作体のベース部に、上記押釦の下面端部が当接する複数のドーム状の突出部を形成したスイッチ装置。
【請求項２】
請求項１記載のスイッチ装置と、このスイッチ装置のスイッチ接点に接続された制御手段からなり、上記制御手段が上記スイッチ接点の電気的接離に応じて、送信手段からリモコン信号を送信するリモコン送信機。
【発明の詳細な説明】
【技術分野】
【０００１】
本発明は、主に各種電子機器の操作に用いられるスイッチ装置、及びこれを用いたリモコン送信機に関するものである。
【背景技術】
【０００２】
近年、映像や音響、空調等の各種電子機器の高機能化や多様化が進むなか、これらを操作するスイッチ装置やリモコン送信機においても、多様で確実な操作の可能なものが求められている。
【０００３】
このような従来のスイッチ装置及びこれを用いたリモコン送信機について、図５〜図７を用いて説明する。
【０００４】
図５は従来のリモコン送信機の断面図、図６は同分解斜視図であり、同図において、１はゴム等の弾性樹脂製の操作体で、上方へ突出した操作部１Ａが、下面外周に形成された薄肉のドーム部１Ｂによって、シート状のベース部１Ｃに連結されると共に、操作部１Ａ下面には、カーボン等によって可動接点２が形成されている。
【０００５】
そして、３は上下面に複数の配線パターン（図示せず）が形成された配線基板で、この配線基板３上面にはカーボン等によって、操作部１Ａの可動接点２と所定の間隙を空けて対向する複数の固定接点４が形成されて、スイッチ接点が形成されている。
【０００６】
また、５は絶縁樹脂製の押釦で、この操作部１Ａよりも大きな形状の押釦５が操作部１Ａ上面に装着されて、スイッチ装置６が構成されている。
【０００７】
さらに、配線基板３上面には、発光ダイオード等の電子部品によってリモコン信号を送信する送信手段７や、マイコン等の制御手段８が形成され、この制御手段８が配線パターンを介して、固定接点４や送信手段７と接続されている。
【０００８】
そして、配線基板３上面を絶縁樹脂製のケース（図示せず）が覆うと共に、このケース上面の開口孔から押釦５が上方へ突出して、リモコン送信機が構成されている。
【０００９】
以上の構成において、押釦５の上面中央部を押圧操作すると、この下方のドーム部１Ｂ全周が弾性変形して反転動作することによって、節度感を伴って操作部１Ａが下方へ移動して、下面の可動接点２が配線基板３上面の固定接点４に接触し、可動接点２を介して複数の固定接点４が電気的に接続される。
【００１０】
そして、この固定接点４の電気的接離に応じて、制御手段８が送信手段７からリモコン信号を電子機器へ送信し、例えば、テレビやビデオ、エアコン等の音量や温度の増減等が行われる。
【００１１】
また、押釦５への押圧力を解除すると、操作体１のドーム部１Ｂが弾性復帰して、操作部１Ａが上方へ移動し、押釦５が元の位置に戻ると共に、操作部１Ａ下面の可動接点２も固定接点４から離れ、スイッチ接点が切断された状態となる。
【００１２】
つまり、押釦５の押圧操作によって、操作体１の下面全周のドーム部１Ｂを弾性変形させて、スイッチ接点の電気的接離が行われると共に、このスイッチ装置６の操作によって、離れた箇所に置かれた機器の、リモコン送信機による様々な遠隔操作が行われるように構成されている。
【００１３】
ただ、押圧操作の際、特に押釦５の外形寸法が操作部１Ａに比べて大きな場合、押釦５の上面中央部ではなく、誤って押釦５の端部の押圧操作が行われ易く、例えば、図７の断面図に示すように、押釦５の上面左端部を押圧操作した場合、操作体１下面の左側のドーム部１Ｂのみが弾性変形して、左側に傾いた状態で操作体１が下方へ移動し、下面の可動接点２の左側が左側の固定接点４のみに接触する。
【００１４】
従って、可動接点２を介した左右の固定接点４の電気的接離は行われないが、ドーム部１Ｂの左側のみは弾性変形して反転動作するため、多少の節度感を伴った操作感触となり、操作したつもりがスイッチ接点の電気的接離は行われていない、いわゆる誤操作となってしまう。
【００１５】
このため、押釦５の外形寸法が大きな場合には、押釦５外周とケース上面の開口孔との隙間を小さくしたり、ケース下面に押釦５の端部押圧による誤操作が生じないように構成されているものであった。
【００１６】
なお、この出願の発明に関連する先行技術文献情報としては、例えば、特許文献１が知られている。
【特許文献１】特開２００５−１００６７４号公報
【発明の開示】
【発明が解決しようとする課題】
【００１７】
しかしながら、上記従来のスイッチ装置やリモコン送信機においては、特に大きな外形寸法の押釦５を用いた場合、押釦５の端部押圧による誤操作を防止するため、押釦５とケースとの間等で対策を講じる必要があり、構成部品数が増えたり、構成が複雑なものになったりしてしまうという課題があった。
【００１８】
本発明は、このような従来の課題を解決するものであり、簡易な構成で誤操作がなく、確実な操作の可能なスイッチ装置、及びこれを用いたリモコン送信機を提供することを目的とする。
【課題を解決するための手段】
【００１９】
上記目的を達成するために本発明は、以下の構成を有するものである。
【００２０】
本発明の請求項１に記載の発明は、操作体のベース部に、押釦の下面端部が当接する複数のドーム状の突出部を形成してスイッチ装置を構成したものであり、押釦の中央部ではなく端部を押圧操作した場合には、押釦の下面端部が複数の突出部を不均等に押圧して、押釦の中央部を押圧操作した場合とは異なる、節度感が損なわれ、操作しづらい操作感触となるため、誤操作を防ぎ簡易な構成で、確実な操作の可能なスイッチ装置を得ることができるという作用を有する。
【００２１】
請求項２に記載の発明は、請求項１記載のスイッチ装置のスイッチ接点に制御手段を接続し、制御手段がスイッチ接点の電気的接離に応じて、送信手段からリモコン信号を送信するようにしてリモコン送信機を構成したものであり、簡易な構成で、確実な操作の可能なリモコン送信機を実現することができるという作用を有する。
【発明の効果】
【００２２】
以上のように本発明によれば、簡易な構成で誤操作がなく、確実な操作の可能なスイッチ装置、及びこれを用いたリモコン送信機を実現できるという有利な効果が得られる。
【発明を実施するための最良の形態】
【００２３】
以下、本発明の実施の形態について、図１〜図４を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるリモコン送信機の断面図、図２は同分解斜視図であり、同図において、１１はゴムやエラストマー等の弾性樹脂製の操作体で、上方へ突出した操作部１１Ａが、下面外周に形成された薄肉のドーム部１１Ｂによって、シート状のベース部１１Ｃに連結されると共に、操作部１１Ａ下面には、カーボン等によって可動接点２が形成されている。
【００２６】
また、３は紙フェノールやガラス入りエポキシ等の配線基板で、上下面に銅箔等によって複数の配線パターン（図示せず）が形成されると共に、この配線基板３上面にはカーボン等によって、操作部１１Ａの可動接点２と所定の間隙を空けて対向する複数の固定接点４が形成されて、スイッチ接点が形成されている。
【００２７】
さらに、５はポリスチレンやＡＢＳ等の絶縁樹脂製の押釦で、この操作部１１Ａよりも大きな形状の押釦５が操作部１１Ａ上面に装着されると共に、操作体１１のベース部１１Ｃ上には、押釦５の下面端部に当接する四つのドーム状の突出部１１Ｄが、操作部１１Ａを囲むように前後左右に形成されて、スイッチ装置１６が構成されている。
【００２８】
また、配線基板３上面には、発光ダイオード等の電子部品によってリモコン信号を送信する送信手段７や、マイコン等の制御手段８が形成され、この制御手段８が配線パターンを介して、固定接点４や送信手段７と接続されている。
【００２９】
そして、配線基板３上面を絶縁樹脂製のケース（図示せず）が覆うと共に、このケース上面の開口孔から押釦５が上方へ突出して、リモコン送信機が構成されている。
【００３０】
以上の構成において、押釦５上面中央部を押圧操作すると、操作部１１Ａ下方のドーム部１１Ｂ全周が弾性変形して反転動作すると共に、四つの突出部１１Ｄも押釦５の下面端部に押圧されて弾性変形し、節度感を伴って操作部１１Ａが下方へ移動して、下面の可動接点２が配線基板３上面の固定接点４に接触し、可動接点２を介して複数の固定接点４が電気的に接続される。
【００３１】
そして、この固定接点４の電気的接離に応じて、制御手段８が送信手段７からリモコン信号を電子機器へ送信し、例えば、テレビやビデオ、エアコン等の音量や温度の増減等が行われる。
【００３２】
また、押釦５への押圧力を解除すると、操作体１１のドーム部１１Ｂや突出部１１Ｄが弾性復帰して、操作部１１Ａが上方へ移動し、押釦５が元の位置に戻ると共に、操作部１１Ａ下面の可動接点２も固定接点４から離れ、スイッチ接点が切断された状態となる。
【００３３】
つまり、押釦５の押圧操作によって、操作体１１の下面全周のドーム部１１Ｂを弾性変形させて、スイッチ接点の電気的接離が行われると共に、このスイッチ装置１６の操作によって、離れた箇所に置かれた機器の、リモコン送信機による様々な遠隔操作が行われるように構成されている。
【００３４】
なお、この押圧操作時に、押釦５の上面中央部ではなく、誤って押釦５の端部を押圧操作した場合には、押釦５の下面端部には四つのドーム状の突出部１１Ｄが当接しているため、例えば、押釦５の上面左端部を押圧操作した場合、始めは右側の二つの突出部１１Ｄは押圧されず、左側の二つの突出部１１Ｄだけが押圧され、押圧力の加わり方が不均等なものとなる。
【００３５】
そして、そのまま押釦５の左端部を強く押圧し続けると、図３の断面図に示すように、ドーム部１１Ｂの左側に加え右側も、左側の二つの突出部１１Ｄに加え右側の突出部１１Ｄも各々弾性変形するが、左側と右側の撓み量が異なる不均等な操作となり、節度感が損なわれ違和感のある操作感触となる。
【００３６】
これに対し、押釦５の上面中央部を押圧操作した場合には、操作部１１Ａ下方のドーム部１１Ｂ全周と、四つの突出部１１Ｄが同時に弾性変形して反転動作するため、四つの突出部１１Ｄの分だけ操作力は重くはなるが、四つの突出部１１Ｄが均等に押圧されるため、良好な節度感のある操作感触となる。
【００３７】
つまり、押釦５の外形寸法が操作部１１Ａに比べて大きな場合等に、押釦５の端部が押圧操作された際、押釦５の下面端部に当接する複数の突出部１１Ｄを設けることによって、中央部を押圧した場合とは明らかに異なる、節度感が損なわれ違和感のある操作感触とし、操作を行いづらくすることで、操作したつもりがスイッチ接点の電気的接離は行われていない、いわゆる誤操作を防ぐように構成されている。
【００３８】
このように本実施の形態によれば、操作体１１のベース部１１Ｃに、押釦５の下面端部が当接する複数のドーム状の突出部１１Ｄを設けることによって、押釦５の中央部ではなく端部を押圧操作した場合には、押釦５の下面端部が複数の突出部１１Ｄを不均等に押圧して、中央部を押圧操作した場合とは異なる、節度感が損なわれ、操作しづらい操作感触となるため、誤操作を防ぎ簡易な構成で、確実な操作の可能なスイッチ装置、及びこれを用いたリモコン送信機を得ることができるものである。
【００３９】
なお、以上の説明では、操作体１１のベース部１１Ｃ上に、押釦５の下面端部に当接する四つのドーム状の突出部１１Ｄを設けた構成について説明したが、図４の断面図に示すように、押釦５下面の左右端部に、押釦５の幅よりも大きな二つの突出部１１Ｅを設け、押釦５の端部押圧時には、いずれか一方の突出部１１Ｅを押釦５の下面端部が押圧するようにしても、本発明の実施は可能であり同様の効果を得ることができる。
【産業上の利用可能性】
【００４０】
本発明によるスイッチ装置及びこれを用いたリモコン送信機は、簡易な構成で誤操作がなく、確実な操作の可能なものが得られ、主に各種電子機器の操作用として有用である。
【図面の簡単な説明】
【００４１】
【図１】本発明の一実施の形態によるリモコン送信機の断面図
【図２】同分解斜視図
【図３】同押圧操作時の断面図
【図４】同他の実施の形態による断面図
【図５】従来のリモコン送信機の断面図
【図６】同分解斜視図
【図７】同押圧操作時の断面図
【符号の説明】
【００４２】
２  可動接点
３  配線基板
４  固定接点
５  押釦
７  送信手段
８  制御手段
１１  操作体
１１Ａ  操作部
１１Ｂ  ドーム部
１１Ｃ  ベース部
１１Ｄ、１１Ｅ  突出部
１６  スイッチ装置
【図１】
2007103285.tif 000003
【図２】
2007103285.tif 000004
【図３】
2007103285.tif 000005
【図４】
2007103285.tif 000006
【図５】
2007103285.tif 000007
【図６】
2007103285.tif 000008
【図７】
2007103285.tif 000009